【事件の表示】
　特願２０１５−５１６０３９「顕微鏡のための直交光ビーム分割」拒絶査定不服審判事件〔平成２５年１２月１２日国際公開、ＷＯ２０１３／１８４３５５、平成２７年　７月１６日国内公表、特表２０１５−５２０４１９〕について、次のとおり審決する。
【結　論】
　本件審判の請求は、成り立たない。
【理　由】
第１　手続の経緯
　本願は、２０１３年（平成２５年）５月２２日（パリ条約による優先権主張外国庁受理２０１２年６月７日、米国）を国際出願日とする出願であって、その後の手続の経緯は次のとおりである。
　平成２９年　１月１６日　拒絶理由通知（同年１月２４日発送）
　平成２９年　４月１９日　意見書、補正書
　平成２９年　５月２６日　拒絶査定（同年５月３０日発送）
　平成２９年　８月１５日　審判請求書
第２　本願発明
　本願の請求項に係る発明は、平成２９年４月１９日付けの手続補正により補正された特許請求の範囲の請求項１ないし８に記載された事項により特定されるものと認められるところ、その請求項１に係る発明は次のとおりのものである（以下「本願発明」という。）。 
「　　第１のαビームスプリッタモジュールおよびα整列線に沿って前記第１のαビームスプリッタモジュールと整列する第２のαビームスプリッタモジュールを備える、αビームスプリッタセットであって、
　　　　　　前記第１のαビームスプリッタモジュールは、
　　　　　　　　　第１の光学経路に沿って移動する第１のαビームを受信し、
　　　　　　　　　前記第１のαビームを、前記第１の光学経路に沿って伝送される第１の出力ビームおよび前記α整列線に実質的に平行して方向付けられるα分割ビームに分割するように構成され、
　　　　　　前記第２のαビームスプリッタモジュールは、
　　　　　　　　　第２の光学経路に沿って移動する第２のαビームを受信し、
　　　　　　　　　前記α整列線に実質的に平行する第３のα光学経路に沿って移動する第３のαビームを受信し、
　　　　　　　　　前記第２の光学経路に沿って、第２の出力ビームとして前記第２のαビームおよび前記第３のαビームを伝送するように構成される、αビームスプリッタセットと、
　　　第１のβビームスプリッタモジュールおよびβ整列線に沿って前記第１のβビームスプリッタモジュールと整列する第２のβビームスプリッタモジュールを備える、βビームスプリッタセットであって、各βビームスプリッタモジュールは、
　　　　　　前記第１の出力ビームまたは前記第２の出力ビームを受信し、
　　　　　　前記受信した出力ビームを、第１のβ分割ビームおよび第２のβ分割ビームに分割し、
　　　　　　前記受信した出力ビームの前記光学経路に沿って、前記第１のβ分割ビームを伝送し、
　　　　　　前記β整列線および前記受信した出力ビームの前記光学経路によって画定される平面に実質的に直交するβ光学経路に沿って、前記第２のβ分割ビームを方向付けるように構成される、βビームスプリッタセットと、を備える、システム。」 
第３　原査定の拒絶の理由
　原査定の拒絶の理由は、本願の請求項１ないし８に係る発明は、本願の優先権主張の日（以下「優先日」という。）前に日本国内又は外国において、頒布された刊行物である、下記の引用文献２及び１に記載された発明に基づいて、その出願前にその発明の属する技術の分野における通常の知識を有する者が容易に発明をすることができたものであるから、特許法第２９条第２項の規定により特許を受けることができない、というものである。
引用文献２：特開２００２−３１１３３６号公報
引用文献１：特開２００２−２８７０３７号公報
第４　引用文献の記載及び引用発明
１　引用文献２
（１）引用文献２の記載事項
　原査定の拒絶の理由に引用され、本願の優先日前に頒布された刊行物である引用文献２（特開２００２−３１１３３６号公報）には、次の記載がある（下線は審決で付した。以下同じ。）。
　ア　「【請求項１】　
主対物レンズと、左側及び右側主光路と、主観察ポートとを有し、少なくとも１つの該主光路に１つの差込入射ビームスプリッタ及び少なくとも１つの分離射出ビームスプリッタが配属され、
さらに付加情報差込入射用の該差込入射ビームスプリッタに前置される物体情報遮断用の少なくとも１つの第一切換可能遮光器を有するステレオ顕微鏡において、
少なくとも１つの主光路（２ａ、２ｂ）に、少なくとも１つの第二切換可能遮光器（１８ａ、１８ｂ）が、分離射出ビームスプリッタ（１２ａ、１２ｂ）と主観察ポート（２１ａ、２１ｂ）との間に配属されること、及び　前記主光路（２ａ、２ｂ）の各々に、差込入射ビームスプリッタ（１１ａ、１１ｂ）が配されることを特徴とするステレオ顕微鏡
【請求項２】前記差込入射ビームスプリッタ（１１ａ、１１ｂ）の各々と前記主対物レンズ（１０）との間、及び前記分離射出ビームスプリッタ（１２ａ、１２ｂ）の各々と前記主観察ポート（２１ａ、２１ｂ）との間には、それぞれ第一又は第二切換可能遮光器（１７ａ、１７ｂ、１８ａ、１８ｂ）が配属されることを特徴とする請求項１に記載のステレオ顕微鏡。
【請求項３】少なくとも１つの副観察ポート（２０ａ、２０ｂ）を有し、
少なくとも１つの分離射出ビームスプリッタ（１２ａ、１２ｂ）と前記副観察ポート（２０ａ、２０ｂ）との間に、第三切換可能遮光器（１９ａ、１９ｂ）が配属されることを特徴とする請求項１又は２に記載のステレオ顕微鏡。
………
【請求項５】主光路（２ａ、２ｂ）毎に少なくとも２つの副観察ポート（２０ａ、２０ｂ）を有し、
該副観察ポート（２０ａ、２０ｂ）は、前記主光路（２ａ、２ｂ）に関し、同一のラジアル面に位置すること、前記分離射出ビームスプリッタ（１２ａ、１２ｂ）は、分離射出画像情報を前記副観察ポート（２０ａ、２０ｂ）の一方又は他方へ選択的に導入するために、回動可能であることを特徴とする請求項３又は４に記載のステレオ顕微鏡。」
　イ　「【０００１】
【発明の属する技術分野】本発明は、不所望の観察画像チャンネルを選択的に切換えるため、ステレオ顕微鏡の一又は複数の観察光路へ付加データを組み込むための遮光器により制御されるステレオ顕微鏡に関し、とりわけ、主対物レンズと、左側及び右側主光路と、主観察ポートを有し、少なくとも１つの該主光路に１つの差込入射ビームスプリッタ及び少なくとも１つの分離射出ビームスプリッタが配属され、さらに付加情報入力用の該差込入射ビームスプリッタに前置される物体情報遮断用の少なくとも１つの第一切換可能遮光器を有するステレオ顕微鏡に関する。」
　ウ　「【０００６】手術顕微鏡の場合、基本的に、その機能の観点から、３つの相異なる観察ないし利用方法に区別することができる（以下の例の説明のために、図５〜７を参照する。これらは、従来技術の顕微鏡位置を表している）。
【０００７】これら各図では、参照符号は、各図に亘って、模式的に示された人ないし対象を意味する：　患者（物体）４２、（手術顕微鏡の）光学系支持体４５、外科医（主観察者）４１、アシスタント４０、左側光路及び右側光路の観察ポート２１ａ、２１ｂ、ステレオ的（ステレオスコピック）観察用観察ポート（アシスタント用接眼レンズ）２０ａ、２０ｂ（図５）、単眼的（モノスコピック）観察用右側光路観察ポート（アシスタント用接眼レンズ）２０ｂ（図６）、単眼的観察用左側光路観察ポート（アシスタント用接眼レンズ）２０ａ（図７）。
【０００８】１）　外科医（主観察者）は、基本的に（というより殆ど専ら）、観察ポート２１ａ、２１ｂをステレオスコピックに利用し、一般的に、差込入射の態様・時点について並びに付加情報を重畳するか重畳しないかの問題について決定を下す。２ａ）　アシスタントは、殆ど専ら右側観察ポート２０ａ（例えば図６）か、左側観察ポート２０ｂ（例えば図７）を、単眼的に使用する。この際アシスタントは、外科医４１及び顕微鏡に直角に位置する（例えば開頭術の場合）。２ｂ）　或いは、図５（例えば背部手術）に示されるようにアシスタント４０が外科医４１に対向視かつ顕微鏡の後方に位置する場合、観察ポート（ないし光路）２０ａ、２０ｂはステレオスコピックに使用される；３）　観察者グループは、顕微鏡の脇に位置するか、或いは更に手術室の外部に位置し、本質的に、手術室の内部又は外部にあるモニタで、外科医（主観察者）４１によって視認され、かつ顕微鏡を介しては直接には全く視えず、ビデオ撮影の観察を介して観察が行われる情報を見る。
【０００９】上記１）の「観察者」のケースでは、唯一の画像チャンネル中の付加情報に基づいて２つの接眼レンズをステレオスコピックに覗き込む場合、とりわけ例えば当該画像チャンネルへのビデオデータの差込入射によるデータ置換をする場合、外科医４１は、２つの相異なる画像情報（第二の画像チャンネルと比べて）を使用することができるが、これは（外科医に）混乱を引き起こし得る。」
　エ　「【００１０】
【発明が解決しようとする課題】それゆえ、本発明の課題は、上述の不利を除去し、観察手段の柔軟性を向上させることであり、好ましくは、それらをできるだけ付加的な差込入射装置を用いずに、即ち、付加的な光路及び物理的構造を大きくする措置を用いずに行うことである。」
　オ　「【００１２】
【発明の実施の形態】以下に、本発明の好ましい実施の形態を示すが、それらは各従属請求項の対象でもある。ステレオ顕微鏡は、更に、差込入射ビームスプリッタの各々と主対物レンズとの間、及び分離射出ビームスプリッタの各々と主観察ポート（Beobachtungsausgang）との間に、それぞれ第一又は第二切換可能遮光器が配属されることが好ましい。
………
【００１７】とりわけ主光路毎に少なくとも２つの副観察ポートが設けられているステレオ顕微鏡の場合、つまりとりわけ柔軟に使用可能な手術顕微鏡の場合、これら（副）観察ポートが、主光路に関し同一のラジアル面（Radialebene）に、即ち例えば一方の観察ポートが分離射出ビームスプリッタの横に、他方の観察ポートが分離射出ビームスプリッタの後方に（即ち、互いに９０°ずらされて）位置し、及び分離射出ビームスプリッタが、分離射出画像情報を前記副観察ポートの一方又は他方へ選択的に導入するために、回動可能であれば有利である。」
　カ　「【００２６】
【実施例】本発明の実施例を図面を参照して詳細に説明する。なお、特許請求の範囲に付した図面参照符号は、発明の理解の容易化のためであって、本発明を図示の態様に限定することを意図しない。また、以下の実施例も、発明の理解の容易化のためのものであり、本発明の技術的思想を逸脱しない範囲において当業者により実施可能な置換・変更形態等を含むことも言わずもがなである。
【００２７】図１では、
ディスプレイ１６は、付加情報（一又は複数）３のための光路に沿って、（結像）光学系１５及び切換可能プリズム１４（左側又は右側光路への切換投射が可能）を介し、付加情報が付加された画像を右側光路２ｂへ投射している
この情報は
画像センサ１３ｂへ導かれる
………
【００３０】
アシスタント用観察ポート
外科的処置（手術の種類）に応じて、側方の２つのモノスコピックな観察ポートへか、或いは後方のステレオスコピックな観察ポートへと切換えられることができる
【００３１】例えば頭部の手術の場合は、左脇に配置するアシスタント４０は、観察ポート２０ａを介して物体情報をモノスコピックに見るが、付加情報は見ない。右脇に配置するアシスタント４０は、モノスコピックに、観察ポート２０ｂを介して外科医４１と同様付加情報のみを見る。
【００３２】例えば背部の手術の場合、アシスタント４０は、観察ポート２０ａ、２０ｂを介して２つの情報をステレオスコピックに見る。そのため、アシスタント４０は、内容の異なる２つの情報も見る。
………
【００３４】図３には、左側光路に付加情報が差込入射され、かつ外科医用光路２１ａ、２１ｂで遮光器が開かれている様子が示されている。」
　キ　「【図面の簡単な説明】
【図１】本発明のステレオ顕微鏡における遮光器の位置の一例。
………
【図３】本発明のステレオ顕微鏡における遮光器の位置の一例。
………
【図５】観察されるべき患者に対する、外科医とアシスタントの既知のポジションの一例。
【図６】観察されるべき患者に対する、外科医とアシスタントの既知のポジションの一例。
【図７】観察されるべき患者に対する、外科医とアシスタントの既知のポジションの一例。
【符号の説明】
１　物体（患者）
２ａ　主光路＝物体光、左側光路
２ｂ　主光路＝物体光、右側光路
３　付加情報用差込入射光路
１０　主対物レンズ
１１ａ　左側光路、ビデオ及び付加情報用の差込入射ビームスプリッタ
１１ｂ　右側光路、ビデオ及び付加情報用の差込入射ビームスプリッタ
１２ａ　左側光路、１及び２観察者用分離射出ビームスプリッタ
１２ｂ　右側光路、１及び２観察者用分離射出ビームスプリッタ
１３ａ　左側光路用ビデオ画像センサ
１３ｂ　右側光路用ビデオ画像センサ
１４　（切換可能）偏向プリズム（付加情報光路用）
１５　ディスプレイ１６用の結像光学系
１６　付加情報用ディスプレイ
１７ａ　左側光路において物体光を遮光するための切換可能第一遮光器
１７ｂ　右側光路において物体光を遮光するための切換可能第一遮光器
１８ａ　左側光路において物体光を遮光するための切換可能第二遮光器
１８ｂ　右側光路において物体光を遮光するための切換可能第二遮光器
１９ａ　左側アシスタント用光路において物体光を遮光するための切換可能第三遮光器
１９ｂ　右側アシスタント用光路において物体光を遮光するための切換可能第三遮光器
２０ａ　観察者（４０）のためのモノスコピックな副観察ポート（アシスタント用観察ポート）、左側
２０ｂ　観察者（４０）のためのモノスコピックな副観察ポート（アシスタント用観察ポート）、右側
２１ａ　外科医（主観察者）のステレオ観察用の主観察光路の左側光路
２１ｂ　外科医（主観察者）のステレオ観察用の主観察光路の右側光路
３０　遮光器コントローラ（遮光器の位置ないし状態を検出するため及び／又は遮光器を制御するための）
３１　記憶装置及びユーザセットアップを有するデータタイプ情報コントローラ
３２　（プリズムの位置ないし状態を検出するため及び／又はプリズムを制御するための）回転プリズムの制御・検出ユニット
４０　アシスタント
４１　外科医
４２　患者
４５　光学系支持体」
　ク　図１及び図３は次のものである。
【図１】
【図３】
　ケ　上記ア及びカの記載、及び、入射光の一部を反射し一部を透過するというビームスプリッタの機能を踏まえて図１及び図３をみると、次の事項が看取できる。
（ア）主対物レンズ１０と、左側主光路２ａ及び右側主光路２ｂと、主観察ポート２１ａ及び２１ｂとを有し、左側主光路２ａに付加情報差込入射用の差込入射ビームスプリッタ１１ａ、分離射出ビームスプリッタ１２ａが配属され、右側主光路２ｂに付加情報差込入射用の差込入射ビームスプリッタ１１ｂ、分離射出ビームスプリッタ１２ｂが配属されること。
（イ）差込入射ビームスプリッタ１１ａ及び差込入射ビームスプリッタ１１ｂに前置される物体情報遮断用の第一切換可能遮光器１７ａ及び第一切換可能遮光器１７ｂを有すること。
（ウ）左側主光路２ａに第二切換可能遮光器１８ａが、分離射出ビームスプリッタ１２ａと主観察ポート２１ａとの間に配属され、右側主光路２ｂに第二切換可能遮光器１８ｂが、分離射出ビームスプリッタ１２ｂと主観察ポート２１ｂとの間に配属されること。
（エ）主対物レンズ１０を経て左側主光路２ａ及び右側主光路２ｂへ入射する物体（観察対象）１の画像は、差込入射ビームスプリッタ１１ａ及び差込入射ビームスプリッタ１１ｂを透過して分離射出ビームスプリッタ１２ａ及び分離射出ビームスプリッタ１２ｂへと導かれる画像と、差込入射ビームスプリッタ１１ａ及び差込入射ビームスプリッタ１１ｂにより反射され、画像センサ１３ａ又は画像センサ１３ｂへ導かれる画像に分割されること。
（オ）ディスプレイ１６は、付加情報３のための光路に沿って、（結像）光学系１５を介し、更に左側主光路２ａ又は右側主光路２ｂへの切換投射が可能な切換可能プリズム１４を介し、付加情報３が付加された画像を左側主光路２ａ又は右側光路２ｂへ投射し、付加情報３が付加された画像は差込入射ビームスプリッタ１１ａ又は差込入射ビームスプリッタ１１ｂを透過して、画像センサ１３ａ又は画像センサ１３ｂへ導かれると画像と、差込入射ビームスプリッタ１１ａ又は差込入射ビームスプリッタ１１ｂにより反射され、引き続く分離射出ビームスプリッタ１２ａ又は分離射出ビームスプリッタ１２ｂへと導かれる画像に分割されること。
（カ）差込入射ビームスプリッタ１１ａ及び差込入射ビームスプリッタ１１ｂから分離射出ビームスプリッタ１２ａ及び分離射出ビームスプリッタ１２ｂへと導かれた付加情報３が付加された画像及び／又は物体（観察対象）１の画像は、分離射出ビームスプリッタ１２ａ及び分離射出ビームスプリッタ１２ｂを透過して主観察ポート２１ａ、２１ｂへ導かれる画像と、分離射出ビームスプリッタ１２ａ及び分離射出ビームスプリッタ１２ｂにより反射されアシスタント用観察ポート２０ａ、２０ｂに導かれ画像に分割されること。
　コ　図５ないし図７は次のものである。
【図５】
【図６】
【図７】
（２）上記（１）によると、引用文献２には、請求項１に係る発明の実施例として次の発明が記載されていると認められる（以下「引用発明」という。）。
「　主対物レンズ１０と、左側主光路２ａ及び右側主光路２ｂと、主観察ポート２１ａ及び２１ｂとを有し、左側主光路２ａに付加情報差込入射用の差込入射ビームスプリッタ１１ａ、分離射出ビームスプリッタ１２ａが配属され、右側主光路２ｂに付加情報差込入射用の差込入射ビームスプリッタ１１ｂ、分離射出ビームスプリッタ１２ｂが配属され、
　差込入射ビームスプリッタ１１ａ及び差込入射ビームスプリッタ１１ｂに前置される物体情報遮断用の第一切換可能遮光器１７ａ及び第一切換可能遮光器１７ｂを有するステレオ顕微鏡において、
　左側主光路２ａに第二切換可能遮光器１８ａが、分離射出ビームスプリッタ１２ａと主観察ポート２１ａとの間に配属され、右側主光路２ｂに第二切換可能遮光器１８ｂが、分離射出ビームスプリッタ１２ｂと主観察ポート２１ｂとの間に配属され、
　主対物レンズ１０を経て左側主光路２ａ及び右側主光路２ｂへ入射する物体（観察対象）１の画像は、差込入射ビームスプリッタ１１ａ及び差込入射ビームスプリッタ１１ｂを透過して分離射出ビームスプリッタ１２ａ及び分離射出ビームスプリッタ１２ｂへと導かれる画像と、差込入射ビームスプリッタ１１ａ及び差込入射ビームスプリッタ１１ｂにより反射され、画像センサ１３ａ又は画像センサ１３ｂへ導かれる画像に分割され、
　ディスプレイ１６は、付加情報３のための光路に沿って、（結像）光学系１５を介し、更に左側主光路２ａ又は右側主光路２ｂへの切換投射が可能な切換可能プリズム１４を介し、付加情報３が付加された画像を左側主光路２ａ又は右側光路２ｂへ投射し、付加情報３が付加された画像は差込入射ビームスプリッタ１１ａ又は差込入射ビームスプリッタ１１ｂを透過して、画像センサ１３ａ又は画像センサ１３ｂへ導かれると画像と、差込入射ビームスプリッタ１１ａ又は差込入射ビームスプリッタ１１ｂにより反射され、引き続く分離射出ビームスプリッタ１２ａ又は分離射出ビームスプリッタ１２ｂへと導かれる画像に分割され、
　差込入射ビームスプリッタ１１ａ及び差込入射ビームスプリッタ１１ｂから分離射出ビームスプリッタ１２ａ及び分離射出ビームスプリッタ１２ｂへと導かれた付加情報３が付加された画像及び／又は物体（観察対象）１の画像は、分離射出ビームスプリッタ１２ａ及び分離射出ビームスプリッタ１２ｂを透過して主観察ポート２１ａ、２１ｂへ導かれる画像と、分離射出ビームスプリッタ１２ａ及び分離射出ビームスプリッタ１２ｂにより反射されアシスタント用観察ポート２０ａ、２０ｂに導かれる画像に分割され、
　アシスタント用観察ポートは、外科的処置（手術の種類）に応じて、側方の２つのモノスコピックな観察ポート２０ａ、２０ｂへか、或いは後方のステレオスコピックな観察ポート２０ａ、２０ｂへと切換えられることができる、ステレオ顕微鏡。」
２　引用文献１
（１）引用文献１の記載
　原査定の拒絶の理由に引用され、本願の優先日前に頒布された刊行物である引用文献１（特開２００２−２８７０３７号公報）には、次の記載がある。
　ア　「【０００１】
【発明の属する技術分野】本発明は、少なくとも１つの双眼視検部を備えた光学器械であって、少なくとも１つの双眼光路の両チャネル内にビームスプリッターが設けられ、ビームスプリッターが、光路の一部を撮影モジュール等へ反射させる機能、および（または）、表示モジュールから提供されるデータまたは画像を視検部の方向においてそれぞれのチャネル内へ反射させる機能を有している前記光学器械に関するものである。」
　イ　「【００１７】
【発明の実施の形態】次に、本発明を、普遍的な適用性を限定することなく、（一部のみを）図示した立体顕微鏡の光路を用いて説明する。なお、図１と図２においては同一の部材または要素には同一の符号を付したので、少なくとも部分的には個々の部材を新たに説明することはしない。
【００１８】図１は、立体顕微鏡の双眼光路内に取り付けられるビームスプリッタープリズムまたはビームスプリッターキューブの光路斜視図である。図中
αまたはβは、左側の光路ｌまたは右側の光路ｒ内に取り付けられるビームスプリッターキューブ
ビームスプリッターキューブαまたはβの（下部の）面１１にあたってビームスプリッターキューブ内へ侵入し、ビームスプリッターキューブαまたはβのそれぞれのスプリッター反射面１により、この面１の構成またはコーティングにより設定された比率
に応じて分割される
９０゜転向した成分ａ’またはｂ’
は
（背面側の）面１２を通ってビームスプリッターキューブから出て
　ウ　図１は次のものである。
【図１】
（２）引用文献１に記載の技術
　上記（１）によると、引用文献１には、立体顕微鏡に関し、次の事項が記載されていると認められる（以下「引用文献１技術」という。）。
「ビームａまたはｂは、左側の光路ｌ内に取り付けられるビームスプリッターキューブαまたは右側の光路ｒ内に取り付けられるビームスプリッターキューブβの下部の面１１にあたってビームスプリッターキューブαまたはβ内へ侵入し、ビームスプリッターキューブαまたはβのそれぞれのスプリッター反射面１により分割され、９０゜転向した成分ａ’またはｂ’が背面側の面１２を通ってビームスプリッターキューブαまたはβから出て、面１を透過する成分は、ビームスプリッターキューブαまたはβの上部の面１３から出ること。」
第５　対比
　本願発明と引用発明とを対比する。
１　αビームスプリッタセット
　引用発明の「差込入射ビームスプリッタ１１ａ」は、「左側主光路２ａ」に「配属され」、「主対物レンズ１０を経て左側主光路２ａ」「へ入射する物体（観察対象）１の画像は」、「差込入射ビームスプリッタ１１ａ」を「透過して」、「左側主光路２ａ」に「配属され」る「分離射出ビームスプリッタ１２ａ」「へと導かれる画像と」、「差込入射ビームスプリッタ１１ａ」「により反射され、画像センサ１３ａ」「へ導かれる画像に分割され」る。また、引用発明の「差込入射ビームスプリッタ１１ａ」は、「付加情報３のための光路に沿って、（結像）光学系１５を介し、更に」「切換可能プリズム１４を介し」、「左側主光路２ａ」「へ投射」された「付加情報３が付加された画像」を、「差込入射ビームスプリッタ１１ａ」「を透過して、画像センサ１３ａ」「へ導かれると画像と」、「差込入射ビームスプリッタ１１ａ」「により反射され」、「引き続く分離射出ビームスプリッタ１２ａ」「へと導かれる画像に分割」する。
　同様に、引用発明の「差込入射ビームスプリッタ１１ｂ」は、「右側主光路２ｂ」に「配属され」、「主対物レンズ１０を経て」「右側主光路２ｂへ入射する物体（観察対象）１の画像は」、「差込入射ビームスプリッタ１１ｂを透過して」、「右側主光路２ｂ」に「配属され」る「分離射出ビームスプリッタ１２ｂへと導かれる画像と」、「差込入射ビームスプリッタ１１ｂにより反射され」、「画像センサ１３ｂへ導かれる画像に分割され」る。また、引用発明の「差込入射ビームスプリッタ１１ｂ」は、「付加情報３のための光路に沿って、（結像）光学系１５を介し、更に」「切換可能プリズム１４を介し」、「右側主光路２ｂへ投射」された「付加情報３が付加された画像」を、「差込入射ビームスプリッタ１１ｂを透過して」、「画像センサ１３ｂへ導かれると画像と」、「差込入射ビームスプリッタ１１ｂにより反射され」、「引き続く」「分離射出ビームスプリッタ１２ｂへと導かれる画像に分割」する。
　そして、引用発明の「物体（観察対象）１の画像」及び「付加情報３が付加された画像」は、技術的にみて、光線すなわちビームであることは明らかである。
　また、引用発明の「差込入射ビームスプリッタ１１ａ」と「差込入射ビームスプリッタ１１ｂ」は、それぞれステレオ顕微鏡の左側主光路２ａ及び右側主光路２ｂにおいて、一対で機能を果たすものである。
　そうすると、その機能からみて、引用発明の「差込入射ビームスプリッタ１１ａ」及び「差込入射ビームスプリッタ１１ｂ」のいずれか一方が、本願発明の「第１のαビームスプリッタモジュール」及び「第２のαビームスプリッタモジュール」のいずれか一方に相当し、引用発明の「差込入射ビームスプリッタ１１ａ」及び「差込入射ビームスプリッタ１１ｂ」の他方が、本願発明の「第１のαビームスプリッタモジュール」及び「第２のαビームスプリッタモジュール」の他方に相当する。そして、引用発明の「差込入射ビームスプリッタ１１ａ」及び「差込入射ビームスプリッタ１１ｂ」は、一対で本願発明の「αビームスプリッタセット」に相当する。なお、以下便宜上、引用発明の「差込入射ビームスプリッタ１１ａ」が本願発明の「第１のαビームスプリッタモジュール」に相当し、引用発明の「差込入射ビームスプリッタ１１ｂ」が本願発明の「第２のαビームスプリッタモジュール」に相当するものとして、本願発明と引用発明のその他の構成について対比する。
　引用発明の「左側主光路２ａ」及び「右側主光路２ｂ」は、その機能からみて、本願発明の「第１の光学経路」及び「第２の光学経路」にそれぞれ相当し、以下同様に、「『左側主光路２ａ』『へ入射する物体（観察対象）１の画像』」は、「第１の光学経路に沿って移動する第１のαビーム」に、「右側主光路２ｂへ入射する物体（観察対象）１の画像」は、「第２の光学経路に沿って移動する第２のαビーム」に、「『差込入射ビームスプリッタ１１ａ』『を透過して』『左側主光路２ａに』『配属され』た『分離射出ビームスプリッタ１２ａ』『へと導かれる画像』」は、「前記第１の光学経路に沿って伝送される第１の出力ビーム」に、「『差込入射ビームスプリッタ１１ｂを透過して』『右側主光路２ｂに』『配属され』た『分離射出ビームスプリッタ１２ｂ』へ『画像』」を導くことは、「前記第２の光学経路に沿って、第２の出力ビームとして前記第２のαビーム」「を伝送する」ことに、それぞれ相当する。
　引用発明の「『差込入射ビームスプリッタ１１ａ』『により反射され、画像センサ１３ａ』『へ導かれる画像』」と本願発明の「前記α整列線に実質的に平行して方向付けられるα分割ビーム」は、技術的にみて、「（第１のαビームを分割した）α分割ビーム」である点で共通する。
　引用発明の「『付加情報３のための光路に沿って、（結像）光学系１５』『切換可能プリズム１４を介し』、『右側光路２ｂへ投射』された『付加情報３が付加された画像』」と本願発明の「前記α整列線に実質的に平行する第３のα光学経路に沿って移動する第３のαビーム」は、「（第１の光学経路及び第２の光学経路とは異なる）第３の光学経路に沿って移動する（第１のαビーム及び第２のαビームとは異なる）第３のαビーム」である点で共通する。また、引用発明の「『付加情報３が付加された画像は』『差込入射ビームスプリッタ１１ｂにより反射され、引き続く』『分離射出ビームスプリッタ１２ｂへと導かれる画像に分割され』る」と本願発明の「前記第２の光学経路に沿って」、「前記第３のαビームを伝送する」は、「前記第２の光学経路に沿って、前記第３のαビームを伝送する」点で共通する。
　してみると、本願発明と引用発明は、「第１のαビームスプリッタモジュールおよび第２のαビームスプリッタモジュールを備える、αビームスプリッタセットであって、前記第１のαビームスプリッタモジュールは、第１の光学経路に沿って移動する第１のαビームを受信し、前記第１のαビームを、前記第１の光学経路に沿って伝送される第１の出力ビームおよびα分割ビームに分割するように構成され、前記第２のαビームスプリッタモジュールは、第２の光学経路に沿って移動する第２のαビームを受信し、第３の光学経路に沿って移動する第３のαビームを受信し、前記第２の光学経路に沿って、第２の出力ビームとして前記第２のαビームおよび前記第３のαビームを伝送するように構成される、αビームスプリッタセット」を備える点で共通する。
２　βビームスプリッタセット
　引用発明の「分離射出ビームスプリッタ１２ａ」は、「左側主光路２ａに」「配属され」、「差込入射ビームスプリッタ１１ａ」から「導かれた付加情報３が付加された画像及び／又は物体（観察対象）１の画像は、分離射出ビームスプリッタ１２ａ」「を透過して主観察ポート２１ａ」「へ導かれる画像と、分離射出ビームスプリッタ１２ａ」「により反射されアシスタント用観察ポート２０ａ」「に導かれ画像に分割され」る。
　同様に、引用発明の「分離射出ビームスプリッタ１２ｂ」は、「右側主光路２ｂに」「配属され」、「差込入射ビームスプリッタ１１ｂ」から「導かれた付加情報３が付加された画像及び／又は物体（観察対象）１の画像は」、「分離射出ビームスプリッタ１２ｂを透過して主観察ポート」「２１ｂへ導かれる画像と」、「分離射出ビームスプリッタ１２ｂにより反射されアシスタント用観察ポート」「２０ｂに導かれ画像に分割され」る。
　そして、引用発明の「分離射出ビームスプリッタ１２ａ」と「分離射出ビームスプリッタ１２ｂ」は、それぞれステレオ顕微鏡の左側主光路２ａ及び右側主光路２ｂにおいて、一対で機能を果たすものである。
　そうすると、その機能からみて、引用発明の「分離射出ビームスプリッタ１２ａ」及び「分離射出ビームスプリッタ１２ｂ」は、本願発明の「第１のβビームスプリッタモジュール」及び「第２のβビームスプリッタモジュール」にそれぞれ相当し、引用発明の「分離射出ビームスプリッタ１２ａ」及び「分離射出ビームスプリッタ１２ｂ」は、一対で本願発明の「βビームスプリッタセット」に相当する。
　引用発明の「分離射出ビームスプリッタ１２ａ及び分離射出ビームスプリッタ１２ｂを透過して主観察ポート２１ａ、２１ｂへ導かれる画像」は、本願発明の「第１のβ分割ビーム」に相当する。
　引用発明の「差込入射ビームスプリッタ１１ａ及び差込入射ビームスプリッタ１１ｂから分離射出ビームスプリッタ１２ａ及び分離射出ビームスプリッタ１２ｂへと導かれた付加情報３が付加された画像及び／又は物体（観察対象）１の画像は」、「分離射出ビームスプリッタ１２ａ及び分離射出ビームスプリッタ１２ｂにより反射されアシスタント用観察ポート２０ａ、２０ｂに導かれる」ことと、本願発明の「前記第１の出力ビームまたは前記第２の出力ビームを受信し」、「前記受信した出力ビームを」、「第２のβ分割ビームに分割」することは、技術的にみて、「受信した第１の出力ビームまたは第２の出力ビームの反射ビーム」を「第２のβ分割ビームに分割する」点で共通する。
　してみると、本願発明と引用発明は、「第１のβビームスプリッタモジュールおよび第２のβビームスプリッタモジュールを備える、βビームスプリッタセットであって、各βビームスプリッタモジュールは、前記第１の出力ビームまたは前記第２の出力ビームを受信し、前記受信した出力ビームを、第１のβ分割ビームおよび第２のβ分割ビームに分割し、前記受信した出力ビームの前記光学経路に沿って、前記第１のβ分割ビームを伝送するように構成される、βビームスプリッタセット」を備える点で共通する。
　また、引用発明の「ステレオ顕微鏡」は、その構成全体からみて、本願発明の「システム」に相当する。
３　一致点
　上記１及び２によると、本願発明と引用発明は次の点で一致する。
「　　第１のαビームスプリッタモジュールおよび第２のαビームスプリッタモジュールを備える、αビームスプリッタセットであって、
　　　　　　前記第１のαビームスプリッタモジュールは、
　　　　　　　　　第１の光学経路に沿って移動する第１のαビームを受信し、
　　　　　　　　　前記第１のαビームを、前記第１の光学経路に沿って伝送される第１の出力ビームおよびα分割ビームに分割するように構成され、
　　　　　　前記第２のαビームスプリッタモジュールは、
　　　　　　　　　第２の光学経路に沿って移動する第２のαビームを受信し、
　　　　　　　　　第３のα光学経路に沿って移動する第３のαビームを受信し、
　　　　　　　　　前記第２の光学経路に沿って、第２の出力ビームとして前記第２のαビームおよび前記第３のαビームを伝送するように構成される、αビームスプリッタセットと、
　　　第１のβビームスプリッタモジュールおよび第２のβビームスプリッタモジュールを備える、βビームスプリッタセットであって、各βビームスプリッタモジュールは、
　　　　　　前記第１の出力ビームまたは前記第２の出力ビームを受信し、
　　　　　　前記受信した出力ビームを、第１のβ分割ビームおよび第２のβ分割ビームに分割し、
　　　　　　前記受信した出力ビームの前記光学経路に沿って、前記第１のβ分割ビームを伝送するように構成される、βビームスプリッタセットと、を備える、システム。」
４　相違点
　他方、本願発明と引用発明は次の点で相違する。
（１）相違点１
　本願発明では、第２のαビームスプリッタモジュールは、α整列線に沿って第１のαビームスプリッタモジュールと整列し、第２のβビームスプリッタモジュールは、β整列線に沿って第１のβビームスプリッタモジュールと整列するのに対し、引用発明では、差込入射ビームスプリッタ１１ａと差込入射ビームスプリッタ１１ｂが整列しているか否か不明であり、分離射出ビームスプリッタ１２ａと分離射出ビームスプリッタ１２ｂが整列しているか否かも不明である点。
（２）相違点２
　本願発明では、α分割ビームは、α整列線に実質的に平行して方向付けられ、第３のαビームは、α整列線に実質的に平行する第３のα光学経路に沿って移動するのに対し、引用発明では、差込入射ビームスプリッタ１１ａより反射され、画像センサ１３ａへ導かれる画像の左側主光路２ａに対する方向が不明であり、切換可能プリズム１４を介し右側主光路２ｂへ投射される、付加情報３が付加された画像の右側主光路２ｂに対する方向も不明である点
（３）相違点３
　本願発明では、βビームスプリッタセットは、β整列線および受信した出力ビームの光学経路によって画定される平面に実質的に直交するβ光学経路に沿って、第２のβ分割ビームを方向付けるように構成されるのに対し、引用発明では、分離射出ビームスプリッタ１２ａ及び分離射出ビームスプリッタ１２ｂにより反射される画像は、アシスタント用観察ポート２０ａ、２０ｂに導かれ、アシスタント用観察ポートは、外科的処置（手術の種類）に応じて、側方の２つのモノスコピックな観察ポート２０ａ、２０ｂへか、或いは後方のステレオスコピックな観察ポート２０ａ、２０ｂへと切換えられることができる点。
第６　判断
１　相違点１及び２について
　上記相違点１及び２について併せて検討する。
　顕微鏡の光学系において、ビームスプリッターとして、同一形状の２つの直角プリズムの一方の斜面に半透反射膜を蒸着し、斜面同士を接合してなるビームスプリッターキューブ（キューブ型ビームスプリッター）を用いることは、例えば引用文献１に記載のように周知技術である（上記第４、２を参照。）。
　また、引用発明のステレオ顕微鏡のような左右の光路を有する光学機器において、左右の光路にそれぞれ配置される一対のビームスプリッターや画像センサ等の要素を左右対称に配置することは、設計上の常套手段である。
　上記事項に加え、引用文献２には明示の記載はないものの、図１や図３の記載からは差込入射ビームスプリッタ１１ａ、１１ｂ、分離射出ビームスプリッタ１２ａ、１２ｂがビームスプリッターキューブであり、それらが左右対称に配置されていることが伺えることをも踏まえると、上記周知技術及び常套手段に係る構成は、引用発明が実質的に備えているものである。そして、そのような引用発明においては、差込入射ビームスプリッタ１１ａと差込入射ビームスプリッタ１１ｂは整列線（α整列線）に沿って整列し、分離射出ビームスプリッタ１２ａも同様に分離射出ビームスプリッタ１２ｂ整列線（β整列線）に沿って整列する。また、そのような引用発明においては、差込入射ビームスプリッタ１１ａより反射され、画像センサ１３ａへ導かれる画像の方向は、左側主光路２ａに対して９０°、すなわちα整列線に実質的に平行して方向付けられ、切換可能プリズム１４を介し右側光路２ｂへ投射される、付加情報３が付加された画像の方向は、右側主光路２ｂに対して９０°、すなわちα整列線に実質的に平行である。よって、上記相違点１及び２は実質的な相違点ではない。
　また、仮に上記相違点１及び２が実質的な相違点であったとしても、上記周知技術及び常套手段に照らし、引用発明において上記相違点１及び２に係る本願発明の構成を採用することは、当業者が適宜なし得た設計的事項である。
２　相違点３について
（１）引用文献１には、上記引用文献１技術が記載されているところ、引用文献技術１と引用発明は、共にステレオ顕微鏡の技術に属するものである。　引用文献技術１の「左側の光路ｌ」、「右側の光路ｒ」、「ビームスプリッターキューブα」、「ビームスプリッターキューブβ」、「ビームａまたはｂ」及び「成分ａ’またはｂ’」は、本願発明の「第１の光学経路」、「第２の光学経路」、「第１のβビームスプリッタモジュール」、「第２のβビームスプリッタモジュール」、「第１の出力ビームまたは第２の出力ビーム」及び「第２のβ分割ビーム」にそれぞれ対応づけることができる。そして、引用文献１技術において、「ビームａまたはｂは、左側の光路ｌ内に取り付けられるビームスプリッターキューブαまたは右側の光路ｒ内に取り付けられるビームスプリッターキューブβの下部の面１１にあたってビームスプリッターキューブαまたはβ内へ侵入し、ビームスプリッターキューブαまたはβのそれぞれのスプリッター反射面１により分割され、９０゜転向した成分ａ’またはｂ’が背面側の面１２を通ってビームスプリッターキューブαまたはβから出」ることは、本願発明の「前記β整列線および前記受信した出力ビームの前記光学経路によって画定される平面に実質的に直交するβ光学経路に沿って、前記第２のβ分割ビームを方向付ける」ことに相当する。
（２）引用文献２には、段落【００１７】に「主光路毎に少なくとも２つの副観察ポートが設けられているステレオ顕微鏡の場合、つまりとりわけ柔軟に使用可能な手術顕微鏡の場合、これら（副）観察ポートが、主光路に関し同一のラジアル面（Radialebene）に、即ち例えば一方の観察ポートが分離射出ビームスプリッタの横に、他方の観察ポートが分離射出ビームスプリッタの後方に（即ち、互いに９０°ずらされて）位置し、及び分離射出ビームスプリッタが、分離射出画像情報を前記副観察ポートの一方又は他方へ選択的に導入するために、回動可能であれば有利である。」（請求項５にも同様の記載がある。）と記載されている。また、段落【０００８】には、「……図５（例えば背部手術）に示されるようにアシスタント４０が外科医４１に対向視かつ顕微鏡の後方に位置する場合、観察ポート（ないし光路）２０ａ、２０ｂはステレオスコピックに使用される……」と記載されている。
（３）引用発明においては、アシスタント用観察ポートが後方のステレオスコピックな観察ポート２０ａ、２０ｂへと切換えられた際に、如何にして画像がアシスタント用観察ポート２０ａ、２０ｂに導かれるかは特定されていない。しかし、上記１の周知技術及び常套手段に係る構成を備える引用発明において、引用文献１技術及び引用文献２の段落【００１７】等の記載に照らし、一方の観察ポートを分離射出ビームスプリッタ１２ａ、１２ｂの横に、他方の観察ポートが分離射出ビームスプリッタ１２ａ、１２ｂの後方に設けるとともに、分離射出ビームスプリッタ１２ａ、１２ｂを回動可能とし、アシスタントが外科医に対向視かつ顕微鏡の後方に位置する場合に、分離射出ビームスプリッタ１２ａ、１２ｂを回動して、整列線及び左側主光路２ａ及び右側主光路２ｂによって画定される平面に実質的に直交する光路に沿って、分離射出ビームスプリッタ１２ａ及び分離射出ビームスプリッタ１２ｂにより反射される画像を方向付けるよう構成することにより、画像を後方に位置するステレオスコピックな観察ポート２０ａ、２０ｂへと導くこと、すなわち上記相違点３に係る本願発明の構成とすることは、当業者が容易になし得たことである。
３　本願発明の効果について
　本願発明によってもたらされる効果を全体としてみても、引用発明及び周知技術から当業者が当然に予測できる程度のものであって、格別顕著なものとはいえない。
４　請求人の主張について
　請求人は審判請求書において、顕微鏡の後方のアシスタントに物体画像を提供するときには分離射出ビームスプリッタ１２ａ、１２ｂが用いられない蓋然性が高いから、引用文献１に記載された技術的手段を引用文献２に記載されたステレオ顕微鏡に適用して、引用文献２に記載の分離射出ビームスプリッタ１２ａ、１２ｂを本願発明のように構成した場合、外科医およびアシスタントに物体情報を提供することができない旨主張する（８頁６ないし１２行）。
　しかし、上記２のとおりであって、請求人の主張は採用できない。
５　小括 
　よって、本願発明は、当業者が引用発明及び周知技術に基いて容易に発明をすることができたものであるから、特許法第２９条第２項の規定により特許を受けることができないものである。
第７　むすび
　以上のとおり、本願発明（本願の請求項１に係る発明）は特許を受けることができないから、請求項２ないし８に係る発明について検討するまでもなく、本願は拒絶されるべきものである。
　よって、結論のとおり審決する。